(57)【要約】【課題】設置時の見栄えがよく、操作が簡易な間仕切パネル及びこれを備えた間仕切装置を提供する。【解決手段】パネル本体１０の下端部１１に床３上を走行自在とされたキャスター６が設けられた間仕切パネル１（１Ａ）であって、前記キャスターの走行時には前記床より上方位置で保持され、前記キャスターの走行停止時には前記床上に設置され前記パネル本体を支持するストッパー７と、前記ストッパーの上下動に連動して上下動し且つ、下降した際には前記キャスターの少なくとも一部を隠すカバー部８とを備えていることを特徴とする。【選択図】図１
2013002258.tif 000002
【特許請求の範囲】
【請求項１】
パネル本体の下端部に床上を走行自在とされたキャスターが設けられた間仕切パネルであって、
前記キャスターの走行時には前記床より上方位置で保持され、前記キャスターの走行停止時には前記床上に設置され前記パネル本体を支持するストッパーと、前記ストッパーの上下動に連動して上下動し且つ、下降した際には前記キャスターの少なくとも一部を隠すカバー部とを備えていることを特徴とする間仕切パネル。
【請求項２】
請求項１において、
前記ストッパーは、前記パネル本体の下端面の両端に一対設けられ、前記カバー部は、少なくとも前記パネル本体の下方側面を覆うように形成され、前記ストッパーの上下動する突出部に固着された固着部を備えていることを特徴とする間仕切パネル。
【請求項３】
天井側に設置され、下向きに開口する上レールと、
この上レールに上端部側がガイドされる請求項１または２に記載の間仕切パネルと、を備えていることを特徴とする間仕切装置
【発明の詳細な説明】
【技術分野】
【０００１】
本発明は、パネル本体の下端部に床上を走行自在とされたキャスターが設けられた間仕切パネル及びこれを備えた間仕切装置に関する。
【背景技術】
【０００２】
従来より、複数枚のパネル本体を天井側に配設された上レールに沿って移動自在とし、室内空間を間仕切る間仕切パネルが知られている。このような間仕切パネルとしては、上レールに走行自在に係合するランナー部材をパネル本体の上端部に設けた上吊り構造とされたものがある。しかしながら、このような上吊り構造の間仕切パネルでは、パネル本体の荷重が上レールに掛かるため、上レールを強固に天井側に固定する必要があり、天井側に上レールの取付下地や補強下地を設ける必要があった。
【０００３】
そこで、天井の補強工事を必要としない間仕切パネルとして、パネル本体の下端部にキャスターを設け、パネル本体を移動自在としたものも知られている。
下記特許文献１には、上述のような下端部に床面上を走行するキャスターが設けられた間仕切パネルが開示されており、パネル本体の下部の溝部に幅木を昇降可能に収納したものが開示されている。これによれば、キャスターの走行停止時には、係止用のピンを抜いて幅木を床に接するまで下降させ、キャスターとパネル本体を昇降させる部材を覆い、パネル本体と床との隙間を塞いで見栄えのよいものとすることができるとされている。
【先行技術文献】
【特許文献】
【０００４】
【特許文献１】特開２００２−１０６０９２号公報
【発明の概要】
【発明が解決しようとする課題】
【０００５】
しかしながら、上記特許文献１に記載のパネル本体は、キャスターの走行停止時、すなわちパネル本体の設置時には、回転ハンドルを回動させて、昇降部材の枠体を上下に拡大させ、パネル本体の上面が天井に当接するまで上方に持ち上げる構造となっている。
従って、昇降部材を操作してパネル本体を所定位置に設置した後に、係止ピンを抜いて幅木を下降させる必要があるため、設置時の操作が手間であった。
【０００６】
本発明は、上記実情に鑑みてなされたものであり、設置時の見栄えがよく、操作が簡易な間仕切パネル及びこれを備えた間仕切装置を提供する。
【課題を解決するための手段】
【０００７】
上記目的を達成するために、本発明に係る間仕切パネルは、パネル本体の下端部に床上を走行自在とされたキャスターが設けられた間仕切パネルであって、前記キャスターの走行時には前記床より上方位置で保持され、前記キャスターの走行停止時には前記床上に設置され前記パネル本体を支持するストッパーと、前記ストッパーの上下動に連動して上下動し且つ、下降した際には前記キャスターの少なくとも一部を隠すカバー部とを備えていることを特徴とする。
【０００８】
本発明において、前記ストッパーは、前記パネル本体の下端面の両端に一対設けられ、前記カバー部は、少なくとも前記パネル本体の下方側面を覆うように形成され、前記ストッパーの上下動する突出部に固着された固着部を備えているようにしてもよい。
また本発明に係る上述の間仕切パネルを備えた間仕切装置は、天井側に設置され、下向きに開口する上レールを備えているようにしてもよい。
【発明の効果】
【０００９】
本発明に係る間仕切パネル及びこれを備えた間仕切装置は、上述のような構成としているので、設置時の見栄えがよく、操作が簡易なものとすることができる。
【図面の簡単な説明】
【００１０】
【図１】（ａ）、（ｂ）は本発明の一実施形態に係る間仕切パネルの一例を模式的に示す一部概略側面図であり、（ａ）は間仕切パネルが移動可能な状態を示した図、（ｂ）は間仕切パネルが停止した状態を示した図である。
【図２】図５に対応させた間仕切パネルの一部破断概略斜視図である。
【図３】同間仕切パネルに設けられたストッパーとカバー部との連動機構を説明するための図であり、（ａ）は一部概略断面図であり、（ｂ）は一部概略正面図である。ここではストッパーが上方に位置し間仕切パネルが移動可能な状態を示している。
【図４】同間仕切パネルに設けられたストッパーとカバー部との連動機構を説明するための図であり、（ａ）は一部概略断面図であり、（ｂ）は一部概略正面図である。ここではストッパーを下降（もしくは上昇）させる操作途中の状態を示している。
【図５】同間仕切パネルに設けられたストッパーとカバー部との連動機構を説明するための図であり、（ａ）は一部概略断面図であり、（ｂ）は一部概略正面図である。ここではストッパーが下方に位置し間仕切パネルが走行停止とされた状態を示している。
【図６】（ａ）、（ｂ）は、いずれも同間仕切パネルを備えた間仕切装置を設置した状態の一例を模式的に示す概略斜視図である。
【図７】同間仕切パネルを備えた間仕切装置の一例を模式的に示す一部破断概略側面図である。
【発明を実施するための形態】
【００１１】
以下に本発明の実施の形態について、図面に基づいて説明する。
なお、一部の図では、他図に付している詳細な符号の一部を省略している。また図３〜図５では、説明をわかりやすくするため、キャスターの図示を省略し、図７ではストッパーの図示を省略している。さらに、以下の実施形態では、間仕切パネル及びこれを備えた間仕切装置が設置された状態を基準として、上下方向等の方向を原則的に説明する。
【００１２】
図１〜図７は、本実施形態に係る間仕切パネル及びこれを備えた間仕切装置の一例について説明するための概念的な説明図である。
本実施形態に係る間仕切パネル１は、図１、図２等に示すように下端部１１に床３上を走行自在とされたキャスター６が設けられたものである。この間仕切パネル１は、キャスター６の走行時には床３より上方位置で保持され、キャスター６の走行停止時には床３上に設置されパネル本体を支持するストッパー７と、ストッパー７の上下動に連動して上下動し且つ、下降した際にはキャスター６の少なくとも一部を隠すカバー部８とを備えている。また本実施形態に係る間仕切装置９は、図６及び図７に示すように、建物の室内空間の天井２側に設置される複数本の上レール５ａを備えた上レールユニット５と、複数枚の間仕切パネル１，１Ａとを備えている。
以下、詳しく説明する。
【００１３】
間仕切パネル１，１Ａは、図６に示すように、上端部１２に、天井２側に設置された上レール５ａにガイドされる上ガイド部２０を設け、下端部１１に、床３上を走行自在とされたキャスター６を設けた下荷重構造とされている。なお、間仕切パネル１，１Ａの具体的構成については後述する。
【００１４】
上レールユニット５は、複数本（図例では、二本・図７参照）の上レール５ａ，５ａを並列配置させて支持するとともに、天井２に沿わせるようにして固定されるレール部材５０を備えている。また、図６に示すように上レールユニット５は、二本のレール部材５０同士を、コーナーを形成するように接続するコーナー部材５１と、四本のレール部材５０同士を、交差部を形成するように接続する交差部材５２とを備えている。これらレール部材５０、コーナー部材５１及び交差部材５２は、金属系材料や硬質の合成樹脂系材料から形成されたものとしてもよい。
【００１５】
上レール５ａは、下向きに開口した縦断面略コ字状（Ｕ字状乃至はＣ字状）の形状とされ、天井２と略平行に配設される天壁部４１と、この天壁部４１の幅方向両縁から下方側に向けて垂れ下がるように設けられた両側壁部４２，４２とを備えている。つまり、天壁部４１は、両側壁部４２，４２の上端縁を接続するように設けられている。また、上レール５ａは、これら両側壁部４２，４２の下端縁から互いに向き合う方向に突出する下案内片４３，４３を備えている。
【００１６】
コーナー部材５１は、図例では、二本のレール部材５０，５０を略直角に接続する態様とされ、これら二本のレール部材５０，５０側及び下方側に向けて開口する形状とされている。
交差部材５２は、図例では、四本のレール部材５０，５０，５０，５０を略直交させるように接続する態様とされている。この交差部材５２は、平面視略正方形状で、下方側に向けて開口する形状とされるとともに、四周側部のそれぞれに各レール部材５０側に向けて開口する開口を設けた形状とされている。
【００１７】
上レール５ａにガイドされる上ガイド部２０は、パネル本体１０の上端部１２に取付固定される取付固定部２１と、この取付固定部２１から上方に向けて突出するように設けられた垂直軸２２と、この垂直軸２２に設けられ、上レール５ａに収容されるローラー部２３とを備えている。パネル本体１０の上端部１２には、上ガイド部２０の取付固定部２１が取付固定される取付凹所（不図示）が設けられている。垂直軸２２は、取付固定部２１の上面から上方に向けて突出するように設けられており、本実施形態では、パネル本体１０に固定された状態で、上記したキャスター６の垂直軸６１と同軸状となるように配設される構成とされている。  ローラー部２３は、垂直軸２２の軸方向に積み重ねられるように配設された二つの側壁ローラー２４，２５（第１側壁ローラー２４及び第２側壁ローラー２５）を有している。これら第１側壁ローラー２４及び第２側壁ローラー２５は、図３（ｂ）に示すように、垂直軸２２が挿通される軸孔を有した略円盤形状（略扁平円筒形状）とされ、それぞれが垂直軸２２廻り（水平面域方向）に回動自在とされている。
【００１８】
また、本実施形態では、ローラー部２３は、上レール５ａの天壁部４１に当接されて回転する副ローラーとしての上端ローラー２６と、上レール５ａの下案内片４３に当接されて回転する副ローラーとしての下端ローラー２７とを備えている。
これら複数のローラー２４，２５，２６，２７を備えたローラー部２３の上下寸法は、図７に示すように、上レール５ａの天壁部４１と下案内片４３，４３との間の寸法に応じた寸法とされている。本実施形態では、ローラー部２３の上下寸法を、上端ローラー２６の上面及び下端ローラー２７の下面が、上レール５ａの天壁部４１及び下案内片４３，４３に、僅かなクリアランスを隔ててそれぞれ近接対面するような寸法としている。
なお、このローラー部２３の各ローラー２４，２５，２６，２７は、耐摩耗性や摺動性に比較的に優れた金属系材料や硬質の合成樹脂系材料から形成されたものとしてもよい。
【００１９】
上記構造とされた上ガイド部２０を備えた間仕切パネル１は、図７に示すように、上レール５ａにローラー部２３が収容され、当該間仕切パネル１の立設状態の維持がなされる。また、間仕切パネル１の移動がなされる際には、側壁ローラー２４，２５が上レール５ａの側壁部４２に当接されて回転し、当該間仕切パネル１の上端部１２側のガイドがなされる。また、上レールユニット５のコーナー部材５１や交差部材５２等の部位において当該間仕切パネル１の方向転換がなされる際には、ローラー部２３がコーナー部材５１や交差部材５２内を移動し、上端部１２側の外れが抑制される。
【００２０】
図６（ａ）、（ｂ）では、これらレール部材５０、コーナー部材５１及び交差部材５２を組み合わせた上レールユニット５を天井２に沿わせるように配設し、複数枚の間仕切パネル１，１Ａによって、２種の間仕切パターンで室内空間を間仕切可能とした例を示している。図中、４ａは幅木を示している。
図６（ａ）では、室内空間を区画する隣接する壁体４，４の一方側（図示左側）の壁体４から間仕切パネル１Ａのパネル幅寸法を略隔てるようにして、この壁体４と略平行に五枚の間仕切パネル１を横並び状に配設した例を示している。また、これら五枚からなる間仕切パネルの集合体の一端を、一方側の壁体４から直交方向に配設された間仕切パネル１Ａに当接させ、他端を、他方側の壁体４に当接させて、平面視して略長方形状の空間を間仕切した例を示している。
図６（ｂ）では、それぞれの壁体４，４から直交方向に向けて三枚の間仕切パネル１（１Ａ）をそれぞれ横並び状に配設した例を示している。また、これら三枚からなる間仕切パネルの集合体の一端同士を略直角に突き合わせるようにして配設し、平面視して略正方形状の空間を間仕切した例を示している。
【００２１】
このように本実施形態に係る間仕切装置９では、室内空間に相異なる２つの小部屋を形成するように間仕切可能とし、これらを状況に応じて形成することで収納室や個室、会議室等として利用することができる。
また、本実施形態では、上レールユニット５に、二本の上レール５ａ，５ａを設けているので、複数枚の間仕切パネル１を引き違い状に横並びに配設することができる。これによれば、例えば、いずれかの間仕切パネル１をスライドさせることで、間仕切された空間（小部屋）の出入口として利用することができる。なお、このような態様に代えて、複数枚の間仕切パネル１の側端面同士を突き合わせて横並びに配設し、いずれかの間仕切パネルに扉部等を設けた態様としてもよい。
【００２２】
なお、図６では、一方側の壁体４の上部側に構造体や配管等を受け入れるための段部を設け、この段部の形状に対応させて、一枚の間仕切パネル１Ａの上側一側部に切欠部を設けた例を示しているが、このような段部等を室内空間に設けない態様としてもよい。この場合は、間仕切パネル１Ａの切欠部は不要である。
【００２３】
次に、本実施形態に係る間仕切装置９が備える間仕切パネル１，１Ａの具体的構成について説明する。なお、切欠部を設けた間仕切パネル１Ａの構成については、切欠部を除いて他の間仕切パネル１と略同様の構成であるので説明を省略し、以下では、切欠部を設けていない間仕切パネル１について説明する。
間仕切パネル１は、図６及び図７に示すように、略矩形平板状のパネル本体１０と、このパネル本体１０の上端部１２に設けられ、上レール５ａに沿ってガイドされる上ガイド部２０と、パネル本体１０の下端部１１に設けられたキャスター６とを備えている。
また間仕切パネル１は、パネル本体１０を所定位置で停止する際に下降させるストッパー７と、キャスター６の少なくとも一部を隠すカバー部８とを備えている。
本実施形態では、パネル本体１０のパネル幅方向の両側端部近傍部位のそれぞれに上ガイド部２０，２０、キャスター６，６及びストッパー７，７を設けた例を示している。
【００２４】
キャスター６は、パネル本体１０に対して床３に略垂直な垂線廻り（水平面域方向）に回動自在に設けられるとともに、床３上を転動する転動輪（車輪）６４を備えている。本実施形態では、キャスター６は、パネル本体１０の下端面にねじ等の固定止具によって連結固定される連結固定部としての固定座６０と、転動輪６４を回動自在に支持する転動輪ブラケット６２とを備えている。これら固定座６０と転動輪ブラケット６２とは、固定座６０に対して上記垂線廻りに転動輪ブラケット６２を回動自在に連結する垂直軸６１によって連結されている。
転動輪ブラケット６２は、図１に示すように、転動輪６４を受け入れる空間を形成するように下方に向けて開口した形状とされ、床３に略水平な方向に架け渡された水平軸６３を有し、この水平軸６３廻りに回動自在に転動輪６４を支持した構造とされている。
【００２５】
このキャスター６を備えた間仕切パネル１は、図１（ａ）に示すように、キャスター６の転動輪６４が床３上に接地し、床３上を走行自在とされる。また、図６を参照して説明した上レールユニット５のコーナー部材５１や交差部材５２等の部位において当該間仕切パネル１の方向転換がなされる際には、転動輪ブラケット６２がパネル本体１０に対して垂直軸６１廻りに回動し、転動輪６４の走行方向の転換がなされる。
【００２６】
パネル本体１０の下端部１１には、ストッパー７がキャスター６の設置位置よりもさらにパネル本体１０のパネル幅方向の側端部側に設けられている。ストッパー７は、上述のようにパネル本体１０のパネル幅方向の両側端部に設けられており、間仕切パネル１の設置時には、両ストッパー７，７でパネル本体１０等の荷重を受けることになる。
なお、以下では、ストッパー７は、同じものが両側端部に設けられるので、片側に設けられたストッパー７について説明する。
ストッパー７は、レバー７２の操作により上下動自在に構成されており、その上下動の構造は特に限定されず、キャスター６の走行時には床３より上方位置で保持され、キャスター６の走行停止時には床３上に設置されパネル本体１０を支持できる構造であればよい。図例のストッパー７は、取付部７３と、レバー７２と、スライダー７４と、バネ部７５と、ロッド軸７６と、突出部７１とを備えている。
【００２７】
取付部７３は、縦長プレート状からなり、例えば金属材などで形成されており、パネル本体１０の端面下方側に固定具によって取り付けられている。取付部７３は、縦長略方形状のスライド孔部７３ａと、孔部７３ａを挟んで上下に２つ設けられた凹所７３ｂ，７３ｂとを備えている。スライド孔部７３ａは、取付部７３の長手方向略中央に設けられ、バネ部７５が出没自在に構成されるとともに、レバー部７２の回動に連動してスライダー７４を上下動自在としている。凹所７３ｂの形状、構成は特に限定されないが、図例のように平面視において略円形状とされ、レバー７２の先側部７２ｂを指先でつまんで上下に操作しやすいように凹設されたものとしてもよい。
レバー７２は、プレート状からなり、基部７２ａ側には、レバー７２を回動自在とする回動軸７２ｃが設けられ、この回動軸７２ｃによって略１８０度の回動範囲でレバー７２が動くように軸支されている。
【００２８】
スライダー７４は、パネル本体１０内に形成されたスライダー収容空間７７に収容され、バネ部７５を備えるとともに、スライダー７４の上下動に連動するロッド軸７６が設けられている。なお、スライダー７４とロッド軸７６の構成は、図例に限定されず、ロッド軸７６がレバー７２の上下動操作に連動して上下動するものであってもよい。
バネ部７５は、レバー７２の基部７２ａが当接して押圧されるホルダー部７５ａと、ホルダー部７５ａ内に内蔵されたバネ７５ｂとを備えている。スライダー７４のバネ部７５の近傍部位には、スライダー収容空間７７の下方側に設けられたスライダー係止部７７ａに係止される被係止突起部７４ａが設けられている。そしてロッド軸７６の露出部分の先側には、突出部７１が設けられている。突出部７１は、図２に示すように略円筒形状とされており、下方側が床３上と接触する床設置面７１ａ、上方側がカバー部８の底面部８１と固着状態とされるカバー固着部７１ｂとを備えている。突出部７１の材質は、ゴム材や樹脂材、金属材等、特に限定されないが、耐荷重性があり、床３面を傷つけないものが望ましい。従って、樹脂材や金属材等を用いる場合は、外面（特に床３と接触する床設置面７１ａ）にゴム材やフェルト材を貼り付けるようにしてもよい。
【００２９】
ここで、スライダー７４は、キャスター６が走行する際には、突出部７１を床３より上方位置で保持されるように係止手段（不図示）によって係止されている。係止手段は特に限定されるものではなく、例えば常時上方に付勢するバネ部材であってもよいし、抜き差し自在の係止ピンによって係止するものであってもよい。また係止手段は、バネ部７５と連動するものであってもよい。またスライダー７４は、キャスター６の走行を停止する際には、レバー７２の操作によって係止手段により係止状態を解除して上方位置に保持されていた突出部７１を下降させる。係止手段による係止状態の解除は、例えばレバー７２によるバネ部７５への押圧操作をトリガとしてもよい。
【００３０】
カバー部８は、図２等に示すように上方と長手方向左右が開口した断面略Ｕ字形状に形成され、その材質は特に限定されないが、樹脂材や金属材等によって形成されている。カバー部８は、特に限定されないが、少なくともパネル本体１０の下方側面、すなわち、下端部１１の側面を覆うように形成され、ストッパー７の上下動する突出部７１に固着された固着部（具体的には底面部８１）を備えていればよい。
図例のカバー部８は、パネル本体１０の幅方向の寸法と略同一に形成され、パネル本体１０の下端部１１を覆う側面部８０と、パネル本体１０の下端面に被せられる底面部８１とを備えている。底面部８１の長手方向両端近傍には、キャスター６を突出させて走行できるように切欠開口部８２が形成されている。また底面部８１の長手方向両端には、ストッパー７を構成するロッド軸７６が挿通される挿通部（不図示）が形成されており、ここにロッド軸７６を挿通し、その状態でロッド軸７６の先側に突出部７１が設けられている。そして突出部７１のカバー固着部７１ｂと  底面部８１の外面とが接着剤等で固着され一体になっている。これにより、簡易な構成で上下動するストッパー７とカバー部８とを連動させることができる。
カバー部８の高さ寸法は、特に限定されるものではないが、図６（ａ）及び（ｂ）に示すように幅木４ａと略同じ高さ寸法とした場合、カバー部８と幅木４ａによる横ラインが揃うので、連続性が生まれ、統一感のある室内とすることができる。
【００３１】
次に図を参照しながら、間仕切パネル１に設けられたキャスター６の走行及び停止、ストッパー７とカバー部８の連動等について説明する。
まず、床３上をキャスター６が走行自在、すなわち間仕切パネル１を移動させるときには、図１（ａ）に示すようにストッパー７及びカバー部８は、上方位置で保持される。このとき、キャスター６の転動輪６４はカバー部８から露出した状態とされるので、キャスター６の走行、すなわち転動輪６４の旋回を妨げることがない。
図３（ａ）及び（ｂ）は、ストッパー７及びカバー部８が上方位置で保持されている状態を示している。このとき、レバー７２は下方に向いて位置し、スライダー７４は係止手段によって上方位置で保持された状態で係止されているので、ロッド軸７６はパネル本体１０内に内装され、突出部７１も床３から離れた状態で保持される（図１（ａ）参照）。
【００３２】
間仕切パネル１を所望する位置まで移動させたら、ストッパー７及びストッパー７に連動して下降するカバー部８を下降させる。図４（ａ）及び（ｂ）は、上方位置で保持されているストッパー７を下降させる途中の工程を示している。ストッパー７を下降させる際には、まずレバー７２の先側部７２ｂをつまんで回動軸７２ｃを軸に回動させる。レバー７２を略水平状態となる位置まで回動させたら、レバー７２の基部７２ａでホルダー部７５ａを押圧する。するとホルダー部７５ａ内のバネ７５ｂが圧縮され、ホルダー部７５ａがパネル本体１０内側へ移動する。すると係止手段による係止が解除され、スライダー７４が下降可能な状態となる。よって、この状態で、レバー７２をスライド孔部７３ａに沿って下降させる方向に操作すると、スライダー７４が下降し、これとともにロッド軸７６、突出部７１が下降する。そしてスライダー７４の被係止突起部７４ａが、スライダー係止部７７ａに当接して係止され、突出部７１が床３上に設置された状態となったら、レバー７２を上方へ倒せば（図２及び図５（ｂ）参照）、キャスター６がカバー部８内に収められ、キャスター６の旋回が規制され、キャスター６を走行させるにもストッパー７によって移動できない状態となり、走行停止となる。
【００３３】
図５（ａ）、図５（ｂ）は、スライダー７４が最も下降した状態を示している。このとき、上述したようにレバー７２は上方位置まで回動され、その位置で係止された状態となる。突出部７１は床３上に設置された状態となり、これとともにカバー部８が連動して下降するため、図１（ｂ）に示すように、床３とパネル本体１０との間が近接しキャスター６の一部が隠れた状態となる。
具体的には、カバー部８の下からは、突出部７１とキャスター６の転動輪６４、転動輪ブラケット６２の下部が見えるだけで、キャスター６の固定座６０や転動輪ブラケット６２の上部が見えないので、見栄えのよいものとすることができる。
【００３４】
以上では、ストッパー７を下降させる操作について説明し、ストッパー７を上昇させる場合も、レバー７２を上述とは逆の操作をすればよい。よって、詳細な説明は省略するが、要はレバー７２を図４（ａ）及び（ｂ）に示すように略水平位置に回動し、バネ部７５を押圧しながら上方にスライドさせると、スライダー７４が上昇し、ロッド軸７６、突出部７１も上昇するとともに、カバー部８も上昇する。これにより、キャスター６が露出し（図１（ａ）参照）、キャスター６の走行規制が解除される。
【００３５】
このように本実施形態の間仕切パネル１によれば、ストッパー７の上下動操作が容易にできるとともに、カバー部８が連動して上下動する。従って、ストッパー７の操作をした後に別途カバー部８のみを操作する必要がなく、上述のように設置時には見栄えのよいものとすることができる。
またこのように本実施形態に係る間仕切装置９によれば、床３上を走行自在とされたキャスター６を下端部１１に設けているので、当該間仕切パネル１の走行時の荷重をキャスター６で受けることができる。従って、上レール５ａを強固に天井２側に固定する必要性が低減され、天井２側に取付下地を設けたり、補強工事等をしたりする必要性が低減され、例えば、当該間仕切パネル１の上端部１２側をガイドさせる上レール５ａを直付け的に天井２に設置することもできる。
さらに、下端部１１側がキャスター６によって床３上を走行自在とされているため、床３側にガイドレール等を敷設する必要がなく、床面に段差等が形成されず、設置対象を簡易な構造とできる。そしてまた、比較的に容易に当該間仕切パネル１を方向転換させることができる。
【００３６】
以上、実施形態で説明した間仕切パネル１、１Ａ、間仕切装置９を構成する部材の形状等は図例に限定されるものではない。例えばキャスター６の走行機構、ストッパー７の上下機構の構成、形状、カバー部８の構成、形状等は、図例に限定されるものではない。
【符号の説明】
【００３７】
１，１Ａ      間仕切パネル
９      間仕切装置
１０      パネル本体
１１      下端部
１２      上端部
３      床
５ａ      上レール
６      キャスター
７      ストッパー
８      カバー部  
【図１】
2013002258.tif 000003
【図２】
2013002258.tif 000004
【図３】
2013002258.tif 000005
【図４】
2013002258.tif 000006
【図５】
2013002258.tif 000007
【図６】
2013002258.tif 000008
【図７】
2013002258.tif 000009